(57)【要約】【課題】自動原稿送りにより複数枚の文書を読み取る際に紙詰まりが発生しても、最初の文書から読み取りを再開せず、読み取りが終了していない文書から容易に文書の読み取りを再開できるようにする。【解決手段】画像形成装置１は、自動原稿送り部１０８Ｂにセットされた文書を一枚ずつ分離して読取部１０８Ｄへ搬送する。読取部１０８Ｄは、搬送された文書を読み取り、読み取った文書を表す文書画像データを生成する。この文書画像データは記憶部１０５に記憶される。自動原稿送り部１０８Ｄにおいて紙詰まりが発生すると、画像形成装置１は、記憶部１０５に記憶された複数の文書画像データが表す各画像の一覧を液晶ディスプレイ１０７に表示する。【選択図】図１
2007306134.tif 000002
【特許請求の範囲】
【請求項１】
一枚ずつ搬送される文書を読み取り、読み取った文書を表す文書画像データを生成するデータ生成手段と、
前記データ生成手段により生成された文書画像データを記憶する記憶手段と、
複数枚の文書を一枚ずつ分離して前記データ生成手段へ搬送する文書送り手段と、
前記文書送り手段において文書の搬送が異常停止したことを検知する検知手段と、
前記検知手段により搬送が異常停止したことが検知された場合、前記記憶手段に記憶された複数の文書画像データが表す各画像の一覧を表示する表示手段と
を有する画像処理装置。
【請求項２】
文書の両面の読み取りを指示する両面読取指示を受け付ける受付手段を有し、
前記データ生成手段は、前記受付手段が前記両面読取指示を受け付けた場合、搬送される文書の表面と裏面とを読み取り、該表面の文書画像データと該裏面の文書画像データとを生成し、
前記表示手段は、前記受付手段が前記両面読取指示を受け付けた場合、前記記憶手段に記憶されている表面の文書画像データのうち、表面に対応する裏面の文書画像データも記憶されている文書画像データが表す各画像の一覧を表示すること
を特徴とする請求項１に記載の画像処理装置。
【請求項３】
前記記憶手段に記憶された文書画像データが表す画像を記録シートに形成する画像形成手段を有することを特徴とする請求項１または請求項２に記載の画像処理装置。
【発明の詳細な説明】
【技術分野】
【０００１】
本発明は、画像処理装置に関する。
【背景技術】
【０００２】
複数枚の文書を自動原稿送り装置を用いて複写する画像形成装置においては、自動原稿送り装置において紙詰まりが発生した場合、ユーザは、紙詰まりの元となった文書を自動原稿送り装置から取り除き、再度文書の読み取りを画像形成装置に指示することとなる。ここで、読み取り済みの文書を自動原稿送り装置に再度セットし、最初の頁から読み取りを再度行うとなると、文書の枚数が多い場合には文書の読み取りに時間が掛かることとなり、効率良く文書の複写を行えないこととなる。
【０００３】
そこで、複数枚の文書の読み取り中に紙詰まりが発生しても、効率良く文書の複写を行えるようにする技術が考案されている。
例えば、特許文献１に開示されている複写機は、紙詰まりが発生するまでに正常に読み取った文書の特徴を記憶する。そして、紙詰まり発生後に文書の最初の頁から再度読み取りを行う際には、特徴が一致する頁については読み取りを行わず、特徴が記憶されていない頁から文書の読み取りを行うようにしている。
また、特許文献２には、紙詰まりが発生するまでに読み取った文書の頁数を記憶しておき、紙詰まり発生後に文書の最初の頁から読み取りを再度行う際には、再度読み取った頁数をカウントし、記憶した頁数までは文書の読み取り動作を行わないようにした画像形成装置が開示されている。
特許文献１、２に開示されている装置によれば、既に読み取りが正常に終了した頁については文書の読み取りが行われないので、効率よく文書の複写を行うことができる。
【特許文献１】特開平９−２３６９５０号公報
【特許文献２】特開２０００−９８８２１号公報
【発明の開示】
【発明が解決しようとする課題】
【０００４】
ところで、特許文献１に開示された装置の場合、読み取った文書の特徴を記憶しているが、文書を読み取る際には、紙詰まりが発生する前に読み取った時と、紙詰まりが発生した後で読み取った時とでは、例えば、文書上や文書を読み取る機構上の汚れ等により、同じ文書であっても、同じ画像にならない場合も考えられる。このように、同じ文書であっても違う画像となってしまうと、特許文献１に開示された装置においては、紙詰まり発生後に同じ文書を再度読み取るようにしても、記憶してある画像に特徴が一致した画像があると判断されないこととなり、結局、文書の最初から読み取り処理を再度行うこととなって、効率よく文書の複写を行うことができないこととなる。
また、特許文献２に開示された装置の場合、紙詰まり発生後に再度文書を自動原稿送り装置にセットする際、誤って途中の頁が抜け落ちたりしてしまうと、紙詰まりが発生したところまでの頁数が合わなくなり、紙詰まり発生前において読み取られていない文書が、再度の読み取り時に読み取られなくなって正常に複写が行えなくなってしまうこととなる。
【０００５】
本発明は、上述した背景の下になされたものであり、その目的は、自動原稿送りにより複数枚の文書を読み取る際に紙詰まりが発生しても、最初の文書から読み取りを再開せず、読み取りが終了していない文書から容易に文書の読み取りを再開できるようにする技術を提供することにある。
【課題を解決するための手段】
【０００６】
上述した課題を解決するために本発明は、一枚ずつ搬送される文書を読み取り、読み取った文書を表す文書画像データを生成するデータ生成手段と、前記データ生成手段により生成された文書画像データを記憶する記憶手段と、複数枚の文書を一枚ずつ分離して前記データ生成手段へ搬送する文書送り手段と、前記文書送り手段において文書の搬送が異常停止したことを検知する検知手段と、前記検知手段により搬送が異常停止したことが検知された場合、前記記憶手段に記憶された複数の文書画像データが表す各画像の一覧を表示する表示手段とを有する画像処理装置を提供する。
【０００７】
この態様においては、文書の両面の読み取りを指示する両面読取指示を受け付ける受付手段を有し、前記データ生成手段は、前記受付手段が前記両面読取指示を受け付けた場合、搬送される文書の表面と裏面とを読み取り、該表面の文書画像データと該裏面の文書画像データとを生成し、前記表示手段は、前記受付手段が前記両面読取指示を受け付けた場合、前記記憶手段に記憶されている表面の文書画像データのうち、表面に対応する裏面の文書画像データも記憶されている文書画像データが表す各画像の一覧を表示するようにしてもよい。
また、この態様においては、前記記憶手段に記憶された文書画像データが表す画像を記録シートに形成する画像形成手段を有するようにしてもよい。
【発明の効果】
【０００８】
本発明によれば、自動原稿送りにより複数枚の文書を読み取る際に紙詰まりが発生しても、最初の文書から読み取りを再開せず、読み取りが終了していない文書から容易に文書の読み取りを再開できるようになる。
【発明を実施するための最良の形態】
【０００９】
［実施形態の構成］
以下、図面を参照して本発明の実施形態について説明する。図１は、本実施形態に係る画像形成装置１の要部のハードウェア構成を示したブロック図である。図１に示したように、画像形成装置１の各部は、バス１０１に接続されており、このバス１０１を介して各部間で各種データや各種指示の授受を行う。
【００１０】
液晶ディスプレイ１０７は、ＣＰＵ１０２の制御の下、画像形成装置１を操作するためのメニュー画面や各種メッセージ等を表示する。操作部１０６は、スタートキー、メニュー画面を液晶ディスプレイに表示させるためのメニューキー、テンキーや矢印キー等、画像形成装置１を操作するための各種キーを備えている。また、操作部１０６は、液晶ディスプレイ１０７の表示画面を覆うタッチパネルを備えている。ユーザがこれらのキーを操作したり、タッチパネルに触れたりすることにより、画像形成装置１に対する各種指示の入力や画像形成装置の各種設定が行われる。
【００１１】
画像入力部１０８は、読取制御部１０８Ａ、自動原稿送り部１０８Ｂ、センサ部１０８Ｃ、読取部１０８Ｄ、および画像生成部１０８Ｅを備えている。
自動原稿送り部１０８Ｂは、自動原稿送り部１０８Ｂにセットされた複数枚の文書を一枚ずつ分離して読取部１０８Ｄへ搬送するものである。自動原稿送り部１０８Ｂは、自動原稿送り部１０８Ｂにセットされた文書を全て読取部１０８Ｄへ搬送したか否かを検知するセンサ（図示略）を備えており、文書を全て搬送していない間、読み取るべき文書が残っていることを示す信号Ｓ１を読取制御部１０８Ａへ出力する。
【００１２】
読取部１０８Ｄは、自動原稿送り部１０８Ｂによって読取部１０８Ｄに搬送された文書に光を照射し、文書で反射した光をＣＣＤ（Charge Coupled Device）により検出し、ＣＣＤで検出した光に応じた信号を画像生成部１０８Ｅへ出力する。なお、読取部１０８Ｄは、文書を反転させて文書の裏面にも光を照射することが可能となっている。読取部１０８Ｄは、文書の読み取りについて、文書の表面のみを読み取るようにユーザから指示されている場合には、文書の表面のみに光を照射し、文書の両面を読み取るように指示されている場合には、文書の表面に光を照射した後、文書を反転させて文書の裏面にも光を照射する。
【００１３】
画像生成部１０８Ｅは、読取部１０８Ｄから入力される信号に基づいて光が照射された文書の画像を表す文書画像データを生成する。この文書画像データは記憶部１０５に記憶される。センサ部１０８Ｃは、自動原稿送り部１０８Ｂにおける紙詰まりを検知するものであり、自動原稿送り装置１０８Ｂにおいて紙詰まりが発生すると、紙詰まりが発生したことを示す信号Ｓ２を読取制御部１０８Ａへ出力する。
読取制御部１０８Ａは、ＣＰＵ１０２の制御の下、画像入力部１０８の各部を制御する。また、読取制御部１０８Ａは、信号Ｓ１や信号Ｓ２をＣＰＵ１０２へ出力し、文書画像データを記憶部１０５へ出力する。
【００１４】
画像処理部１１１は、入力される画像データが表す画像に階調補正やスクリーン処理等の画像処理を施す。そして、画像処理が施された画像からＹ（Yellow），Ｍ（Magenta），Ｃ（Cyan），Ｋ（黒）各色の画像の画像データを生成して画像出力部１０９へ出力する。また、画像処理部１１１は、ＣＰＵ１０２の制御の下、複数の文書画像データが表す画像を一覧表示するためのサムネイル画像を生成する。
【００１５】
画像出力部１０９は、出力制御部１０９Ａと、搬送部１０９Ｂと、画像形成部１０９Ｃとを備えている。
画像形成部１０９Ｃは、電子写真方式によって記録シートにトナー像を形成する画像形成エンジン（図示略）を具備している。この画像形成エンジンは中間転写方式を採用しており、Ｙ（Yellow），Ｍ（Magenta），Ｃ（Cyan），Ｋ（黒）の各色のトナー像を形成する画像形成ユニットを備えている。各画像形成ユニットは、入力される画像データに従って感光体上に静電潜像を形成した後、感光体上にトナーを付着させてＹＭＣＫの各色のトナー像を形成する。そして、このトナー像を中間転写ベルトに転写した後、中間転写ベルトに転写されたトナー像を記録シートを格納したシート格納部（図示略）から搬送される記録シートに転写する。そして、記録シートに転写されたトナー像に熱と圧力を加えて定着させる。
【００１６】
搬送部１０９Ｂは、記録シートを搬送するものであり、シート格納部に格納された記録シートを画像形成部１０９Ｃへ搬送したり、画像形成部１０９Ｃでトナー像が定着された記録シートを画像形成装置１外へ搬送したりする。
出力制御部１０９Ａは、画像出力部１０９の各部を制御するものであり、ＣＰＵ１０２の制御の下、搬送部１０９Ｂを制御して画像形成装置１内で記録シートを搬送させ、入力される画像データを画像形成部１０９Ｃへ供給する。
【００１７】
記憶部１０５はハードディスク装置やページメモリ（いずれも図示略）を具備しており、画像入力部１０８で生成された文書画像データを記憶する。
ＲＯＭ１０３は、ＣＰＵ１０２により実行される制御プログラムを記憶している。ＣＰＵ１０２は、ＲＯＭ１０３に記憶されている制御プログラムを読み出し、ＲＡＭ１０４を作業エリアにして制御プログラムを実行する。ＣＰＵ１０２により制御プログラムが実行されると、ＣＰＵ１０２により画像形成装置の各部が制御され、複写機能、画像形成機能、スキャン機能等が画像形成装置１において実現する。
【００１８】
［実施形態の動作］
次に本実施形態の動作について説明する。なお、以下の説明においては、図３に示した文書の表面のみを複写する時の動作と、図４に示した文書の両面を複写する時の動作について説明する。なお、図３に示した文書においては、１枚目から８枚目まで裏面は全て白紙となっている。
【００１９】
［文書の表面のみを複写する時の動作］
まず、図３に示した文書の表面のみを複写する時の動作について説明する。
ユーザが、自動原稿送り部１０８Ｂに図３に示した文書をセットした後、操作部１０６のメニューキーを押下すると、ＣＰＵ１０２により液晶ディスプレイ１０７が制御されて図５に示したメニュー画面が表示される。ここで、ユーザが、メニュー画面中の「コピー」ボタンの部分に触れる操作を行うと、液晶ディスプレイ１０７に表示されている画面と、液晶ディスプレイ１０７を覆うタッチパネルから送られる信号とにより、ＣＰＵ１０２は「コピー」ボタンの部分が押されたと判断し、図６に示したメニュー画面を液晶ディスプレイ１０７に表示させる。
【００２０】
次にユーザが、「読み取り方法」のタブに触れる操作を行うと、図７に示したメニュー画面が表示される。ここで、ユーザが「両面／片面選択」ボタンの部分に触れる操作を行うと、図８に示したメニュー画面が表示される。図８に示したメニュー画面が表示された後、ユーザが表示された「片面→片面」ボタンの部分に触れる操作を行うと、「片面→片面」ボタンの色が変化する。この後、ユーザが「閉じる」ボタンの部分に触れる操作を行うと、文書をどのように読み取り、どのように複写するかを表す複写モードが、文書の表面を読み取り、読み取った文書の画像を記録シートの片面に形成する「片面→片面」モードとなる。
【００２１】
この後、ユーザは、操作部１０６が具備するスタートボタンを押下する。スタートボタンが押下されると、スタートボタンが押下されたことを示す信号が操作部１０６からＣＰＵ１０２へ出力される。ＣＰＵ１０２は、スタートボタンが押下されたことを示す信号が供給されると、読取制御部１０８Ａを制御して自動原稿送り部１０８Ｂを動作させる。自動原稿送り部１０８Ｂは、読取制御部１０８Ａの制御の下、セットされた文書を一枚ずつ分離して読取部１０８Ｄへ搬送する。読取部１０８Ｄに文書が搬送されると、文書の表面が読み取られ、画像生成部１０８Ｅにおいて、読み取った文書の画像を表す文書画像データが生成される。
【００２２】
自動原稿送り部１０８Ｂから読取部１０８Ｄへは文書が一枚ずつ搬送されるが、自動原稿送り部１０８Ｂにより文書が搬送されている最中に自動原稿送り部１０８Ｂにおいて紙詰まりが発生すると、センサ部１０８Ｃが紙詰まりを検知し、紙詰まりが発生したことを示す信号Ｓ２を読取制御部１０８Ａへ出力する。読取制御部１０８Ａは、センサ部１０８Ｃから信号Ｓ２が供給されると、供給された信号Ｓ２をＣＰＵ１０２へ出力する。ＣＰＵ１０２は、信号Ｓ２が供給されると、図２に示したフローチャートに従って動作する。
【００２３】
具体的には、まず、ＣＰＵ１０２は、紙詰まりが発生したことをユーザに知らせるメッセージを、液晶ディスプレイ１０７を制御して表示する（ステップＳＡ１）。このメッセージを見たユーザは、自動原稿送り部１０８Ｂで紙詰まりを起こしている文書を取り除く。紙詰まりしている文書がユーザにより取り除かれ、信号Ｓ２がＣＰＵ１０２に入力されなくなると（ステップＳＡ２；ＮＯ）、次にＣＰＵ１０２は、複写モードが「両面→両面」モードであるか否かを判断する（ステップＳＡ３）。ここで、複写モードは「片面→片面」モードであるので、ステップＳＡ３ではＮＯと判断される。
【００２４】
ＣＰＵ１０２は、ステップＳＡ３でＮＯと判断すると、記憶部１０５に記憶された文書画像データを画像処理部１１１へ供給し、画像処理部１１１にサムネイル画像の生成を指示する（ステップＳＡ４）。画像処理部１１１は、この指示と文書画像データが供給されると、供給された複数の文書画像データが表す画像を一つにまとめたサムネイル画像を生成する。ここで、例えば、紙詰まりが発生するまでに図３に示した文書の４枚目までが読み取られ、５枚目が紙詰まりを起こした場合には、１枚目から４枚目までの各文書画像データが記憶部１０５に記憶されているので、１枚目から４枚目までの文書の画像を一つにまとめたサムネイル画像が生成される。そして、ＣＰＵ１０２は液晶ディスプレイ１０７を制御し、この生成されたサムネイル画像と、サムネイル表示されている画像は正常に読み取られた文書であることを通知するメッセージ、およびサムネイル表示されている最後の文書の次の文書から文書を自動原稿送り部１０８Ｂにセットするように指示するメッセージとを、図９に示したように液晶ディスプレイ１０７に表示する（ステップＳＡ６）。
【００２５】
ユーザは、このメッセージに従い、サムネイル表示されている文書の次の文書、即ち５枚目以降の文書を自動原稿送り部１０８Ｂにセットし、再度操作部１０６のスタートボタンを押下する。ＣＰＵ１０２は、スタートボタンが押下されると、読取制御部１０８Ａを制御して自動原稿送り部１０８Ｂを動作させ、上述した動作と同様に文書の読み取り動作を開始する。
【００２６】
この後、自動原稿送り部１０８Ｂにセットされた文書が全て読取部１０８Ｄへ搬送され、自動原稿送り部１０８Ｂから信号Ｓ１が出力されなくなると、ＣＰＵ１０２は、記憶部１０５に記憶された文書画像データを文書画像データが生成された順番に（即ち、１枚目の文書画像データから８枚目の文書画像データまで順番に）画像処理部１１１へ出力する。画像処理部１１１は、文書画像データが供給されると、文書画像データが表す画像に階調補正やスクリーン処理等の画像処理を施す。そして、画像処理が施された画像からＹ（Yellow），Ｍ（Magenta），Ｃ（Cyan），Ｋ（黒）各色の画像の画像データを生成して画像出力部１０９の出力制御部１０９Ａへ出力する。
【００２７】
出力制御部１０９Ａは、画像データが供給されると、搬送部１０９Ｂを制御してシート格納部に格納されている記録シートを画像形成部１０９Ｃへ搬送する。また、出力制御部１０９Ａは、供給された文書画像データを画像形成部１０９Ｃへ供給する。画像形成部１０９Ｃは、文書画像データが供給されると、供給された画像データに従って感光体上に静電潜像を形成した後、感光体上にトナーを付着させてＹＭＣＫの各色のトナー像を形成する。そして、このトナー像を中間転写ベルトに転写した後、中間転写ベルトに転写されたトナー像をシート格納部から搬送された記録シートに転写する。そして、記録シートに転写されたトナー像に熱と圧力を加えて定着させる。出力制御部１０９Ａは、トナー像の定着処理が終了すると、搬送部１０９Ｂを制御してトナー像が定着した記録シートを画像形成装置１外へ搬送する。
このように、本実施形態によれば、文書が自動原稿送り部１０８Ｂにて紙詰まりを起こしても、どの文書から再度自動原稿送り部１０８Ｂにセットすれば良いかユーザは簡単に特定することができる。
【００２８】
［文書の表面と裏面とを複写するときの動作］
次に図４に示した文書の両面を複写する時の動作について説明する。なお、文書を自動原稿送り部１０８Ｂにセットしてから図８に示したメニュー画面を表示するまでの動作は、上述した動作と同じであるので、その説明を省略する。
【００２９】
図８に示したメニュー画面が表示された後、ユーザが表示された「両面→両面」ボタンの部分に触れる操作を行うと、「両面→両面」ボタンの色が変化する。この後、ユーザが「閉じる」ボタンの部分に触れる操作を行うと、複写モードが、文書の表面および裏面を読み取り、読み取った文書の画像を記録シートの両面に形成する「両面→両面」モードとなる。
【００３０】
この後、ユーザが、操作部１０６のスタートボタンを押下すると、自動原稿送り部１０８Ｂは、セットされた文書を一枚ずつ分離して読取部１０８Ｄへ搬送する。読取部１０８Ｄに文書が搬送されると、まず文書の表面が読み取られ、画像生成部１０８Ｅにおいて、読み取った文書の表面の画像を表す文書画像データが生成される。そして、表面の文書画像データの生成が終了すると、読取制御部１０８Ａにより読取部１０８Ｄが制御されて文書の裏面が読み取られ、画像生成部１０８Ｅにより文書の裏面の画像を表す文書画像データが生成される。
【００３１】
自動原稿送り部１０８Ｂにより文書が搬送されている最中に自動原稿送り部１０８Ｂにおいて紙詰まりが発生すると、ＣＰＵ１０２は、液晶ディスプレイ１０７を制御し、紙詰まりが発生したことをユーザに知らせるメッセージを表示する（ステップＳＡ１）。このメッセージを見たユーザは、自動原稿送り部１０８Ｂで紙詰まりを起こしている文書を取り除く。紙詰まりしている文書がユーザにより取り除かれ、信号Ｓ２がＣＰＵ１０２に入力されなくなると（ステップＳＡ２；ＮＯ）、次にＣＰＵ１０２は、複写モードが「両面→両面」モードであるか否かを判断する（ステップＳＡ３）。ここで、複写モードは「両面→両面」モードであるので、ステップＳＡ３ではＹＥＳと判断される。
【００３２】
ＣＰＵ１０２は、ステップＳＡ３でＹＥＳと判断すると、記憶部１０５に記憶された文書画像データを画像処理部１１１へ供給するとともに、画像処理部１１１にサムネイル画像の生成を指示する。なお、記憶部１０５に記憶された文書画像データを画像処理部１１１へ供給する際には、表面と裏面との両方の読み取りに成功している文書の表面の文書画像データのみが画像処理部１１１へ供給される。そして、表面の文書画像データのみが生成されている文書については、文書画像データが消去される（ステップＳＡ５）。
例えば、図４に示した文書の３枚目の表面までの文書画像データが記憶部１０５に記憶されている場合には、１枚目の表面の文書画像データおよび２枚目の表面の文書画像データが画像処理部１１１へ供給され、３枚目の表面の文書画像データは記憶部１０５から消去される。そして図１０に示したように、１枚目と２枚目の表面の画像を一つにまとめたサムネイル画像が生成される。
【００３３】
そして、ＣＰＵ１０２は液晶ディスプレイ１０７を制御し、この生成されたサムネイル画像と、サムネイル表示されている画像は正常に読み取られた文書の表面であることを通知するメッセージ、およびサムネイル表示されている最後の文書の次の文書から文書を自動原稿送り部１０８Ｂにセットするように指示するメッセージとを、図１０に示したように液晶ディスプレイ１０７に表示する（ステップＳＡ６）。
【００３４】
ユーザは、このメッセージに従い、サムネイル表示されている文書の次の文書、即ち３枚目以降の文書を自動原稿送り部１０８Ｂにセットし、再度操作部１０６のスタートボタンを押下する。ＣＰＵ１０２は、スタートボタンが押下されると、読取制御部１０８Ａを制御して自動原稿送り部１０８Ｂを動作させ、上述した動作と同様に文書の読み取り動作を開始する。
【００３５】
この後、自動原稿送り部１０８Ｂにセットされた文書が全て読取部１０８Ｄへ搬送され、自動原稿送り部１０８Ｂから信号Ｓ１が出力されなくなると、ＣＰＵ１０２は、記憶部１０５に記憶された文書画像データを文書画像データが生成された順番に画像処理部１１１へ出力する。画像処理部１１１は、文書画像データが供給されると、文書画像データが表す画像に階調補正やスクリーン処理等の画像処理を施す。そして、画像処理が施された画像からＹ（Yellow），Ｍ（Magenta），Ｃ（Cyan），Ｋ（黒）各色の画像の画像データを生成して画像出力部１０９の出力制御部１０９Ａへ出力する。
【００３６】
出力制御部１０９Ａは、画像データが供給されると、搬送部１０９Ｂを制御してシート格納部に格納されている記録シートを画像形成部１０９Ｃへ搬送する。また、出力制御部１０９Ａは、供給された文書画像データを画像形成部１０９Ｃへ供給する。画像形成部１０９Ｃは、文書画像データが供給されると、供給された画像データに従って感光体上に静電潜像を形成した後、感光体上にトナーを付着させてＹＭＣＫの各色のトナー像を形成する。そして、このトナー像を中間転写ベルトに転写した後、中間転写ベルトに転写されたトナー像をシート格納部から搬送された記録シートに転写する。そして、記録シートの一方の面に画像を転写すると、他方の面に次頁の画像を転写する。そして、記録シートに転写されたトナー像に熱と圧力を加えて定着させると、出力制御部１０９Ａは、搬送部１０９Ｂを制御してトナー像が定着した記録シートを画像形成装置１外へ搬送する。
【００３７】
以上説明したように本実施形態によれば、文書の両面を複写する場合に紙詰まりが発生しても、どの文書から再度自動原稿送り部１０８Ｂにセットすれば良いかユーザは簡単に特定することができる。
【００３８】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００３９】
上述した実施形態では、文書の複写を行う時を例にして動作の説明を行ったが、文書の複写を行わず、文書の読み取りのみを行って文書の画像データを生成する場合に紙詰まりが発生した時にも上述したようにサムネイル画像を表示するようにしてもよい。
また、上述した実施形態においては、複写機能を備えた画像形成装置を例にして説明を行ったが、自動原稿送り部を備えたスキャナ装置においても、紙詰まりが発生した際には上述したようにサムネイル画像を表示するようにしてもよい。
また、スキャナ装置において文書を読み取る際には、スキャナ装置をパーソナルコンピュータ装置に接続し、読み取った文書の画像やサムネイル画像のデータをパーソナルコンピュータ装置に送信して、パーソナルコンピュータ装置で各種画像を表示させるようにしてもよい。
上述した実施形態においては、紙詰まりが発生した場合には、表面の文書画像データのみが生成されている文書については文書画像データを消去しているが、表面の文書画像データを消去しないようにしてもよい。そして、表面しか読み取りがされなかった文書から文書の読み取りを開始する際には、文書の表面については読み取りを行わず、文書の裏面から文書の読み取りを開始するようにしてもよい。
【図面の簡単な説明】
【００４０】
【図１】本発明の実施形態に係る画像形成装置の要部のブロック図である。
【図２】画像処理装置の処理の流れを示すフローチャートである。
【図３】自動原稿送り部にセットする文書を例示した図である。
【図４】自動原稿送り部にセットする文書を例示した図である。
【図５】表示部に表示される画面を例示した図である。
【図６】表示部に表示される画面を例示した図である。
【図７】表示部に表示される画面を例示した図である。
【図８】表示部に表示される画面を例示した図である。
【図９】表示部に表示される画面を例示した図である。
【図１０】表示部に表示される画面を例示した図である。
【符号の説明】
【００４１】
１・・・画像形成装置、１０１・・・バス、１０２・・・ＣＰＵ、１０３・・・ＲＯＭ、１０４・・・ＲＡＭ、１０５・・・記憶部、１０６・・操作部・、１０７・・・液晶ディスプレイ、１０８・・・画像入力部、１０８Ａ・・・読取制御部、１０８Ｂ・・・自動原稿送り部、１０８Ｃ・・・センサ部、１０８Ｄ・・・読取部、１０８Ｅ・・・画像生成部、１０９・・・画像出力部、１０９Ａ・・・出力制御部、１０９Ｂ・・・搬送部、１０９Ｃ・・・画像形成部、１１１・・・画像処理部
【図１】
2007306134.tif 000003
【図２】
2007306134.tif 000004
【図３】
2007306134.tif 000005
【図４】
2007306134.tif 000006
【図５】
2007306134.tif 000007
【図６】
2007306134.tif 000008
【図７】
2007306134.tif 000009
【図８】
2007306134.tif 000010
【図９】
2007306134.tif 000011
【図１０】
2007306134.tif 000012